(57)【特許請求の範囲】
【請求項１】
基地局のダウンリンクに適用される、ダウンリンク信号を処理するための装置であって、ベースバンド信号区別ユニットと、パブリック・キャリア・モジュールと、トラフィック・キャリア・モジュールと、パブリック電力増幅ユニットと、トラフィック電力増幅ユニットと、を備え、
前記ベースバンド信号区別ユニットが、前記基地局の前記ダウンリンクのベースバンド処理ユニットに接続されており、かつ前記ベースバンド処理ユニットが送信したベースバンド信号を受信し、かつ前記受信したベースバンド信号のタイプを区別するように構成され、前記ベースバンド信号がパブリック・ベースバンド信号及びトラフィック・ベースバンド信号に分類され、
前記パブリック・キャリア・モジュールが、前記ベースバンド信号区別ユニットに接続されており、かつ前記ベースバンド信号区別ユニットが区別によって取得したパブリック・ベースバンド信号を受信し、前記パブリック・ベースバンド信号にアップ・コンバージョン及びデジタル・アナログＤＡ変換を実行してパブリック・キャリア信号を取得し、かつ前記パブリック・キャリア信号を前記パブリック電力増幅ユニットに送信するように更に構成され、
前記トラフィック・キャリア・モジュールが、前記ベースバンド信号区別ユニットに接続されており、かつ前記ベースバンド信号区別ユニットが区別によって取得したトラフィック・ベースバンド信号を受信し、前記トラフィック・ベースバンド信号にアップ・コンバージョン及びデジタル・アナログＤＡ変換を実行してトラフィック・キャリア信号を取得し、かつ前記トラフィック・キャリア信号を前記トラフィック電力増幅ユニットに送信するように更に構成され、
前記パブリック電力増幅ユニットが、前記パブリック・キャリア・モジュールに接続されており、かつ前記パブリック・キャリア・モジュールが送信した前記パブリック・キャリア信号を受信し、前記パブリック・キャリア信号の電力を増幅した後にパブリック出力信号を出力するように構成され、かつ
前記トラフィック電力増幅ユニットが、前記トラフィック・キャリア・モジュールに接続されており、かつ前記トラフィック・キャリア・モジュールが送信した前記トラフィック・キャリア信号を受信し、かつ前記トラフィック・キャリア信号の電力を増幅した後にトラフィック出力信号を出力するように構成されている、ダウンリンク信号を処理するための装置。
【請求項２】
基地局のダウンリンクに適用される、ダウンリンク信号を処理するための装置であって、キャリア信号区別ユニットと、パブリック電力増幅ユニットと、トラフィック電力増幅ユニットと、を備え、
前記キャリア信号区別ユニットが、前記基地局の前記ダウンリンクのキャリア・ユニットに接続されており、かつ前記キャリア・ユニットが処理によって取得したキャリア信号を受信し、かつ前記キャリア信号のタイプを区別するように構成され、前記キャリア信号がパブリック・キャリア信号及びトラフィック・キャリア信号に分類され、
前記パブリック電力増幅ユニットが、前記キャリア信号区別ユニットに接続されており、かつ前記キャリア信号区別ユニットが区別によって取得したパブリック・キャリア信号を受信し、かつ前記パブリック・キャリア信号の電力を増幅した後にパブリック出力信号を出力するように構成され、かつ
前記トラフィック電力増幅ユニットが、前記キャリア信号区別ユニットに接続されており、かつ前記キャリア信号区別ユニットが区別によって取得したトラフィック・キャリア信号を受信し、かつ前記トラフィック・キャリア信号の電力を増幅した後にトラフィック出力信号を出力するように構成されている、ダウンリンク信号を処理するための装置。
【請求項３】
基地局のダウンリンクに適用される、ダウンリンク信号を処理するための装置であって、
ダウンリンク信号区別ユニットと、パブリック・ベースバンド処理ユニットと、トラフィック・ベースバンド処理ユニットと、を備え、
前記ダウンリンク信号区別ユニットが、前記基地局における送信ユニットに接続されており、かつ前記送信ユニットが送信したダウンリンク信号を受信し、かつ前記ダウンリンク信号のタイプを区別するように構成され、前記ダウンリンク信号がパブリック・ダウンリンク信号及びトラフィック・ダウンリンク信号に分類され、
前記パブリック・ベースバンド処理ユニットが、前記ダウンリンク信号区別ユニットに接続されており、かつ前記ダウンリンク信号区別ユニットが区別によって取得したパブリック・ダウンリンク信号を受信し、前記パブリック・ダウンリンク信号を符号化及び変調してパブリック・ベースバンド信号を取得し、かつ前記パブリック・ベースバンド信号をキャリア・ユニットに送信するように構成され、かつ
前記トラフィック・ベースバンド処理ユニットが、前記ダウンリンク信号区別ユニットに接続されており、かつ前記ダウンリンク信号区別ユニットが区別によって取得したトラフィック・ダウンリンク信号を受信し、前記トラフィック・ダウンリンク信号を符号化及び変調してトラフィック・ベースバンド信号を取得し、かつ前記トラフィック・ベースバンド信号を前記キャリア・ユニットに送信するように構成され、
前記装置が、キャリア信号区別ユニットと、パブリック電力増幅ユニットと、トラフィック電力増幅ユニットと、を更に備え、
前記キャリア信号区別ユニットが、前記キャリア・ユニットに接続されており、かつ前記キャリア・ユニットが処理によって取得したキャリア信号を受信し、かつ前記キャリア信号のタイプを区別するように構成され、前記キャリア信号がパブリック・キャリア信号及びトラフィック・キャリア信号に分類され、
前記パブリック電力増幅ユニットが、前記キャリア信号区別ユニットに接続されており、かつ前記キャリア信号区別ユニットが区別によって取得したパブリック・キャリア信号を受信し、かつ前記パブリック・キャリア信号の電力を増幅した後にパブリック出力信号を出力するように構成され、かつ
前記トラフィック電力増幅ユニットが、前記キャリア信号区別ユニットに接続されており、かつ前記キャリア信号区別ユニットが区別によって取得したトラフィック・キャリア信号を受信し、かつ前記トラフィック・キャリア信号の電力を増幅した後にトラフィック出力信号を出力するように構成されている、ダウンリンク信号を処理するための装置。
【請求項４】
前記キャリア・ユニットがパブリック・キャリア・モジュール及びトラフィック・キャリア・モジュールを備え、かつ前記ダウンリンク信号を処理するための装置が、パブリック電力増幅ユニットと、トラフィック電力増幅ユニットと、を更に備え、
前記パブリック・キャリア・モジュールが、前記パブリック・ベースバンド処理ユニットに接続されており、かつ前記パブリック・ベースバンド処理ユニットが処理によって取得したパブリック・ベースバンド信号を受信し、前記パブリック・ベースバンド信号にアップ・コンバージョン及びデジタル・アナログＤＡ変換を実行してパブリック・キャリア信号を取得し、かつ前記パブリック・キャリア信号を前記パブリック電力増幅ユニットに送信するように構成され、
前記トラフィック・キャリア・モジュールが、前記トラフィック・ベースバンド処理ユニットに接続されており、かつ前記トラフィック・ベースバンド処理ユニットが処理によって取得したトラフィック・ベースバンド信号を受信し、前記トラフィック・ベースバンド信号にアップ・コンバージョン及びデジタル・アナログＤＡ変換を実行してトラフィック・キャリア信号を取得し、かつ前記トラフィック・キャリア信号を前記トラフィック電力増幅ユニットに送信するように構成され、
前記パブリック電力増幅ユニットが、前記パブリック・キャリア・モジュールに接続されており、かつ前記パブリック・キャリア・モジュールが送信した前記パブリック・キャリア信号を受信し、かつ前記パブリック・キャリア信号の電力を増幅した後にパブリック出力信号を出力するように構成され、かつ
前記トラフィック電力増幅ユニットが、前記トラフィック・キャリア・モジュールに接続されており、かつ前記トラフィック・キャリア・モジュールが送信した前記トラフィック・キャリア信号を受信し、かつ前記トラフィック・キャリア信号の電力を増幅した後にトラフィック出力信号を出力するように構成されている、請求項３に記載のダウンリンク信号を処理するための装置。
【請求項５】
分散型の基地局において、前記ダウンリンク信号を処理するための装置がベースバンド信号区別ユニットを更に備え、
前記ベースバンド信号区別ユニットが、インタフェース・ユニットを用いることで前記パブリック・ベースバンド処理ユニット及び前記トラフィック・ベースバンド処理ユニットに接続されており、かつ前記インタフェース・ユニットを介して前記パブリック・ベースバンド処理ユニット及び前記トラフィック・ベースバンド処理ユニットが送信したベースバンド信号を受信し、かつ前記受信したベースバンド信号のタイプを区別するように構成され、前記ベースバンド信号はパブリック・ベースバンド信号及びトラフィック・ベースバンド信号に分類され、
前記パブリック・キャリア・モジュールが、前記ベースバンド信号区別ユニットに接続されており、かつ前記ベースバンド信号区別ユニットが区別によって取得したパブリック・ベースバンド信号を受信し、前記パブリック・ベースバンド信号にアップ・コンバージョン及びデジタル・アナログＤＡ変換を実行してパブリック・キャリア信号を取得し、かつ前記パブリック・キャリア信号を前記パブリック電力増幅ユニットに送信するように更に構成され、かつ
前記トラフィック・キャリア・モジュールが、前記ベースバンド信号区別ユニットに接続されており、かつ前記ベースバンド信号区別ユニットが区別によって取得したトラフィック・ベースバンド信号を受信し、前記トラフィック・ベースバンド信号にアップ・コンバージョン及びデジタル・アナログＤＡ変換を実行してトラフィック・キャリア信号を取得し、かつ前記トラフィック・キャリア信号を前記トラフィック電力増幅ユニットに送信するように更に構成されている、請求項３又は４に記載のダウンリンク信号を処理するための装置。
【請求項６】
基地局であって、
送信ユニットと、制御ユニットと、アップリンク・デバイスと、
請求項１から５のいずれか１項に記載の前記ダウンリンク信号を処理するための装置を備えるダウンリンク・デバイスと、
を備え、
前記送信ユニットが、前記アップリンク・デバイス及び前記ダウンリンク・デバイスに接続されており、かつ前記アップリンク・デバイスが送信したアップリンク信号を受信するように構成され、更にダウンリンク信号を前記ダウンリンク・デバイスに送信するように構成され、前記ダウンリンク信号がパブリック・ダウンリンク信号及びトラフィック・ダウンリンク信号に分類され、かつ
前記制御ユニットが、前記ダウンリンク・デバイスに接続されており、かつ前記ダウンリンク・デバイス内のいくつかの機能ユニット及びモジュールの有効化及び無効化を制御するように構成されている、基地局。
【請求項７】
前記制御ユニットが制御する前記機能ユニット及びモジュールが、以下のユニット及びモジュールすなわちトラフィック・ベースバンド処理ユニット、トラフィック電力増幅ユニット、及びトラフィック・キャリア・モジュールの少なくとも１つを含み、かつ
前記制御ユニットが、前記送信ユニットを監視し、前記送信ユニットがトラフィック・ダウンリンク信号を前記ダウンリンク・デバイスに送信しない場合に、前記トラフィック・ベースバンド処理ユニット、前記トラフィック電力増幅ユニット、又は前記トラフィック・キャリア・モジュールを無効にし、かつ前記送信ユニットがトラフィック・ダウンリンク信号を前記ダウンリンク・デバイスに送信する場合に、前記トラフィック・ベースバンド処理ユニット、前記トラフィック電力増幅ユニット、又は前記トラフィック・キャリア・モジュールを有効にする、請求項６に記載の基地局。
【発明の詳細な説明】
【技術分野】
【０００１】
本出願は、２０１１年１２月１３日に中国特許庁に出願された「ＡＰＰＡＲＡＴＵＳ  ＡＮＤ  ＭＥＴＨＯＤ  ＦＯＲ  ＰＲＯＣＥＳＳＩＮＧ  ＤＯＷＮＬＩＮＫ  ＳＩＧＮＡＬ」と題する中国特許出願第２０１１１０４１５０４２．８号に対する優先権を主張する。この出願は、引用によりその全体が本願にも含まれるものとする。
【０００２】
本発明は無線通信の分野に関し、具体的にはダウンリンク信号を処理するための装置及び方法に関する。
【背景技術】
【０００３】
エネルギー・リソースがますます減少し、エネルギー価格が上昇し続けているので、無線通信の設計においてエネルギー保存は重要な検討要素になっている。しかしながら、無線通信システムにおいて、エネルギーは主に基地局で消費される。従って、基地局のエネルギー保存技術が特に重要である。図１に、制御モジュール、送信モジュール、アップリンク、及びダウンリンクを含む基地局の基本的なアーキテクチャを示す。アップリンクは、アップリンク・ベースバンド処理モジュール、アップリンク・キャリア・モジュール、及びアップリンク電力増幅モジュールを含む。同様に、ダウンリンクは、ダウンリンク・ベースバンド処理モジュール、ダウンリンク・キャリア・モジュール、及びダウンリンク電力増幅モジュールを含む。特に分散型の基地局では、基地局のアーキテクチャは、ベースバンド処理モジュールとキャリア・モジュールとの間の信号送信を実行するように構成されたインタフェース・モジュールを更に含む。高負荷のもとでのエネルギー要件を満たすため、基地局の各モジュールは高負荷水準に従って設計される。この結果、トラフィック・ボリュームが少量である低負荷状態では、多数のエネルギー・リソースが不必要に浪費される。
【０００４】
中程度又は低い負荷でのエネルギー消費を低減させるため、従来技術における方法は以下の通りである。電力増幅モジュールの出力電力に従って、電力増幅モジュールの静的バイアス電圧及び無線周波数モジュールの電力供給を遮断する。トラフィック・ボリューム量に応じて、ベースバンド処理モジュールの電圧及び周波数又はレジスタのリフレッシュ・レートを動的に調節する。具体的には、電力増幅モジュール及び無線周波数モジュールについては、基地局のトラフィック・ボリュームがゼロである場合、電力増幅モジュールは電力を出力せず、電力増幅モジュールのバイアス電圧を遮断して、電力増幅モジュールが電力を出力しない場合の静的な電力消費を低減させることができる。長期間に渡ってトラフィックが存在しない場合は、更に無線周波数モジュールの電力供給を遮断して、無線周波数モジュールの静的な電力消費を低減させる。ベースバンド処理モジュールについては、トラフィック・ボリュームの量に従って、ベースバンド処理モジュールの電圧及び周波数又はレジスタのリフレッシュ・レートを動的に調節する。例えば、動的電圧及び周波数スケーリング（ＤＶＦＳ：Ｄｙｎａｍｉｃ  Ｖｏｌｔａｇｅ  ａｎｄ  Ｆｒｅｑｕｅｎｃｙ  Ｓｃａｌｉｎｇ）を用いて、前もって動的調節ポリシを策定する。トラフィック・ボリュームが減少した場合、周波数及び電圧を低下させてベースバンド処理モジュールの電力消費を低減させる。
【発明の概要】
【発明が解決しようとする課題】
【０００５】
本発明者は、ダウンリンク信号を処理する実行処理の間において、従来技術が少なくとも次の問題を有することを発見している。すなわち、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）及びＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）等の無線通信システムにおいては、プロトコルで指定されたパイロット信号、同期信号、及び報知信号等のパブリック信号（ｐｕｂｌｉｃ  ｓｉｇｎａｌ）を連続的に送信する必要がある。この結果、電力増幅モジュールは連続的に電力を出力するので、電力増幅モジュール及び無線周波数モジュールを遮断することができない。また、基地局処理モジュールにおける全てのサブモジュールは異なる電圧又は周波数を必要とし、このため統一された調節ポリシは全てのサブモジュールのエネルギー要件を同時に満たさなければなければならない。従って、基地局の電力消費を効果的に低減させることができない。
【課題を解決するための手段】
【０００６】
本発明の一態様は、ダウンリンク信号を処理するための装置及び方法を提供する。これらは基地局のエネルギー消費を効果的に低減させることができる。
【０００７】
前述の目的を達成するため、本発明の一態様は以下の技術的解決策を用いる。
【０００８】
ダウンリンク信号を処理するための装置は、基地局のダウンリンクに適用され、ダウンリンク信号区別ユニットと、パブリック・ベースバンド処理ユニットと、トラフィック・ベースバンド処理ユニットと、を含み、
ダウンリンク信号区別ユニットが、基地局における送信ユニットに接続され、送信ユニットが送信したダウンリンク信号を受信すると共にダウンリンク信号のタイプを区別するように構成され、ダウンリンク信号がパブリック・ダウンリンク信号及びトラフィック・ダウンリンク信号に分類され、
パブリック・ベースバンド処理ユニットが、ダウンリンク信号区別ユニットに接続されており、ダウンリンク信号区別ユニットが区別によって取得したパブリック・ダウンリンク信号を受信し、パブリック・ダウンリンク信号を符号化及び変調してパブリック・ベースバンド信号を取得し、パブリック・ベースバンド信号をキャリア・ユニットに送信するように構成され、かつ
トラフィック・ベースバンド処理ユニットが、ダウンリンク信号区別ユニットに接続されており、ダウンリンク信号区別ユニットが区別によって取得したトラフィック・ダウンリンク信号を受信し、トラフィック・ダウンリンク信号を符号化及び変調してトラフィック・ベースバンド信号を取得し、トラフィック・ベースバンド信号をキャリア・ユニットに送信するように構成されている。
【０００９】
ダウンリンク信号を処理するための装置は、基地局のダウンリンクに適用され、キャリア信号区別ユニットと、パブリック電力増幅ユニットと、トラフィック電力増幅ユニットと、を含み、
キャリア信号区別ユニットが、基地局のダウンリンクのキャリア・ユニットに接続され、キャリア・ユニットが処理によって取得したキャリア信号を受信してキャリア信号のタイプを区別するように構成され、キャリア信号がパブリック・キャリア信号及びトラフィック・キャリア信号に分類され、
パブリック電力増幅ユニットが、キャリア信号区別ユニットに接続されており、キャリア信号区別ユニットが区別によって取得したパブリック・キャリア信号を受信し、パブリック・キャリア信号の電力を増幅した後にパブリック出力信号を出力するように構成され、かつ
トラフィック電力増幅ユニットが、キャリア信号区別ユニットに接続されており、キャリア信号区別ユニットが区別によって取得したトラフィック・キャリア信号を受信し、トラフィック・キャリア信号の電力を増幅した後にトラフィック出力信号を出力するように構成されている。
【００１０】
ダウンリンク信号を処理するための装置は、基地局のダウンリンクに適用され、ベースバンド信号区別ユニットと、パブリック・キャリア・モジュールと、トラフィック・キャリア・モジュールと、パブリック電力増幅ユニットと、トラフィック電力増幅ユニットと、を含み、
ベースバンド信号区別ユニットが、基地局のダウンリンクのベースバンド処理に接続されており、ベースバンド処理ユニットが送信したベースバンド信号を受信し、受信したベースバンド信号のタイプを区別するように構成され、ベースバンド信号がパブリック・ベースバンド信号及びトラフィック・ベースバンド信号に分類され、
パブリック・キャリア・モジュールが、ベースバンド信号区別ユニットに接続されており、ベースバンド信号区別ユニットが区別によって取得したパブリック・ベースバンド信号を受信し、パブリック・ベースバンド信号にアップ・コンバージョン及びデジタル・アナログＤＡ変換を実行してパブリック・キャリア信号を取得し、パブリック・キャリア信号をパブリック電力増幅ユニットに送信するようにさらに構成され、
トラフィック・キャリア・モジュールが、ベースバンド信号区別ユニットに接続されており、ベースバンド信号区別ユニットが区別によって取得したトラフィック・ベースバンド信号を受信し、トラフィック・ベースバンド信号にアップ・コンバージョン及びデジタル・アナログＤＡ変換を実行してトラフィック・キャリア信号を取得し、トラフィック・キャリア信号をトラフィック電力増幅ユニットに送信するようにさらに構成され、
パブリック電力増幅ユニットが、パブリック・キャリア・モジュールに接続されており、パブリック・キャリア・モジュールが送信したパブリック・キャリア信号を受信し、パブリック・キャリア信号の電力を増幅した後にパブリック出力信号を出力するように構成され、かつ
トラフィック電力増幅ユニットが、トラフィック・キャリア・モジュールに接続されており、トラフィック・キャリア・モジュールが送信したトラフィック・キャリア信号を受信し、トラフィック・キャリア信号の電力を増幅した後にトラフィック出力信号を出力するように構成されている。
【００１１】
基地局は、
送信ユニット、制御ユニット、アップリンク・デバイス、及び
ダウンリンク信号を処理するための装置を含むダウンリンク・デバイス
を含み、
送信ユニットが、アップリンク・デバイス及びダウンリンク・デバイスに接続され、アップリンク・デバイスが送信したアップリンク信号を受信するように構成され、更にダウンリンク信号をダウンリンク・デバイスに送信するように構成され、かつ
制御ユニットが、ダウンリンク・デバイスに接続され、ダウンリンク・デバイス内のいくつかの機能ユニット及びモジュールの有効化及び無効化を制御するように構成されている。
【００１２】
ダウンリンク信号を処理するための方法は、ダウンリンク信号を処理するための装置に適用され、ダウンリンク信号を処理するための装置が、送信ユニット、ダウンリンク信号区別ユニット、パブリック・ベースバンド処理ユニット、及びトラフィック・ベースバンド処理ユニット、を含み、ダウンリンク信号区別ユニットが送信ユニットに接続され、パブリック・ベースバンド処理ユニットがダウンリンク信号区別ユニットに接続され、かつトラフィック・ベースバンド処理ユニットがダウンリンク信号区別ユニットに接続され、かつダウンリンク信号を処理するための方法が、
ダウンリンク信号区別ユニットによって、基地局における送信ユニットが送信したダウンリンク信号を受信し、かつダウンリンク信号のタイプを区別するステップであって、ダウンリンク信号がパブリック・ダウンリンク信号及びトラフィック・ダウンリンク信号に分類される、ステップ；
パブリック・ベースバンド処理ユニットによって、ダウンリンク信号区別ユニットが区別によって取得したパブリック・ダウンリンク信号を受信し、パブリック・ダウンリンク信号を符号化及び変調してパブリック・ベースバンド信号を取得し、かつパブリック・ベースバンド信号をキャリア・ユニットに送信するステップ；及び
トラフィック・ベースバンド処理ユニットによって、ダウンリンク信号区別ユニットが区別によって取得したトラフィック・ダウンリンク信号を受信し、トラフィック・ダウンリンク信号を符号化及び変調してトラフィック・ベースバンド信号を取得し、かつトラフィック・ベースバンド信号を前記キャリア・ユニットに送信するステップ；
を含む。
【００１３】
本発明の実施形態が提供するダウンリンク信号を処理するための装置及び方法は、パブリック信号の送信リンクからトラフィック信号の送信リンクを分離することで、トラフィック信号が存在しない場合に現在のエネルギー保存技術によってトラフィック信号の送信リンクを切断又は休止させることを可能とする。パブリック信号が送信リンクを長期間に渡って用いるためにトラフィック信号の送信リンクの切断も休止も行うことができない従来技術のアーキテクチャに比べ、本発明の実施形態は、基地局のエネルギー消費をいっそう効果的に低減させることができる。
【００１４】
本発明の実施形態又は従来技術における技術的解決策を更に明確に説明するため、以下で、実施形態又は従来技術を説明するために必要な添付図面を簡単に紹介する。明らかに、以下の説明における添付図面は本発明のいくつかの実施形態を図示するだけであり、当業者は、創造的な労力なしで、これらの添付図面から他の図面を導出することができる。
【図面の簡単な説明】
【００１５】
【図１】背景技術における基地局の基本的なアーキテクチャの概略図である。
【図２】本発明の実施形態１に従ったダウンリンク信号を処理するための装置の構成要素を示す概略図である。
【図３】本発明の実施形態１に従ったダウンリンク信号を処理するための方法のフローチャートである。
【図４】本発明の実施形態１に従った基地局の構成要素を示す概略図である。
【図５】本発明の実施形態２に従ったダウンリンク信号を処理するための装置の構成要素を示す概略図である。
【図６】本発明の実施形態２に従ったダウンリンク信号を処理するための方法のフローチャートである。
【図７】本発明の実施形態２に従った基地局の構成要素を示す概略図である。
【図８】本発明の実施形態３に従ったダウンリンク信号を処理するための装置の構成要素を示す概略図である。
【図９】本発明の実施形態３に従ったダウンリンク信号を処理するための別の装置の構成要素を示す概略図である。
【図１０】本発明の実施形態３に従ったダウンリンク信号を処理するための方法のフローチャートである。
【図１１】本発明の実施形態３に従ったダウンリンク信号を処理するための別の方法のフローチャートである。
【図１２】本発明の実施形態３に従った基地局の構成要素を示す概略図である。
【図１３】本発明の実施形態４に従ったダウンリンク信号を処理するための装置の構成要素を示す概略図である。
【図１４】本発明の実施形態４に従ったダウンリンク信号を処理するための別の装置の構成要素を示す概略図である。
【発明を実施するための形態】
【００１６】
以下は、本発明の実施形態における添付図面を参照して本発明の実施形態における技術的な解決策を明確かつ完全に記載する。明らかに、記載する実施形態は本発明の全ての実施形態ではなく一部に過ぎない。本発明の実施形態に基づいて当業者によって創造的な労力なしで得られる全ての他の実施形態は、本発明の保護範囲内に包含されるものとされなければならない。
【００１７】
実施形態１
ベースバンド処理リソースを節約するため、トラフィック・ダウンリンク信号及びパブリック・ダウンリンク信号を別個に処理する。本発明のこの実施形態は、ダウンリンク信号を処理するための装置を提供する。図２に示すように、ダウンリンク信号を処理するための装置は、基地局のダウンリンクに適用することができ、ダウンリンク信号区別ユニット１１、パブリック・ベースバンド処理ユニット１２、及びトラフィック・ベースバンド処理ユニット１３を含む。
【００１８】
ダウンリンク信号区別ユニット１１は、基地局における送信ユニットに接続され、送信ユニットにより送信されたダウンリンク信号を受信してこのダウンリンク信号のタイプを区別するように構成されている。ここで、ダウンリンク信号は、パブリック・ダウンリンク信号及びトラフィック・ダウンリンク信号に分類することができる。
【００１９】
送信ユニットは、基地局のアーキテクチャに内在する機能ユニットであり、トラフィック・ダウンリンク信号及びパブリック・ダウンリンク信号の双方をダウンリンクに送信することができる。従来技術において、ベースバンド処理ユニットは、ダウンリンク信号がパブリック・ダウンリンク信号であるか、或いはトラフィック・ダウンリンク信号であるかに拘らず、送信ユニットにより送信されたダウンリンク信号を受信し、かつ当該送信ユニットにより送信されたダウンリンク信号に対する符号化及び変調等のベースバンド処理動作を実行する。この実施形態では、元来のベースバンド処理ユニットを、ダウンリンク信号区別ユニット１１、パブリック・ベースバンド処理ユニット１２、及びトラフィック・ベースバンド処理ユニット１３に置き換えることで、パブリック・ダウンリンク信号及びトラフィック・ダウンリンク信号を別個に処理することを可能とする。送信ユニットはダウンリンク信号区別ユニット１１に接続され、トラフィック・ダウンリンク信号及びパブリック・ダウンリンク信号の双方をダウンリンク信号区別ユニット１１に送信する。パブリック・ダウンリンク信号は、システム情報、報知信号及び制御信号、例えば報知制御チャネル（ＢＣＣＨ：Ｂｒｏａｄｃａｓｔ  Ｃｏｎｔｒｏｌ  Ｃｈａｎｎｅｌ）又はパイロット信号等のパブリック信号とすることができる。トラフィック・ダウンリンク信号は、例えばユーザ・データ・ダウンロード又はユーザ通信等のトラフィックを供給する信号のような、ユーザ・トラフィックを処理するための信号とすることができる。
【００２０】
具体的には、ダウンリンク信号区別ユニット１１は、ダウンリンク信号の信号識別子、信号形態、及び信号強度等の情報を用いることで、ダウンリンク信号のタイプを区別することができる。本発明のこの実施形態において、具体的な区別方法は限定されない。ダウンリンク信号区別ユニット１１が、現在のダウンリンク信号がパブリック・ダウンリンク信号であると判定すると、ダウンリンク信号区別ユニット１１は、現在のダウンリンク信号を更に処理するためにパブリック・ベースバンド処理ユニット１２に送信する。ダウンリンク信号区別ユニット１１が、現在のダウンリンク信号がトラフィック・ダウンリンク信号であると判定すると、ダウンリンク信号区別ユニット１１は、現在のダウンリンク信号を更に処理するためにトラフィック・ベースバンド処理ユニット１３に送信する。
【００２１】
ダウンリンク信号区別ユニット１１は、基地局のアーキテクチャに個別に追加した機能ユニットとすることができ、更に、送信ユニット、パブリック・ベースバンド処理ユニット１２、又はトラフィック・ベースバンド処理ユニット１３内に埋め込まれたサブユニットとすることも可能であることに留意すべきである。例えばダウンリンク信号区別ユニットは、パブリック・ベースバンド処理ユニット内に埋め込まれたサブユニットであり、パブリック・ベースバンド処理ユニット１２をトラフィック・ベースバンド処理ユニット１３に接続することができる。パブリック・ベースバンド処理ユニットがダウンリンク信号を受信すると、ダウンリンク信号区別サブユニットは現在の信号がパブリック・ダウンリンク信号であるか否かを判定し、現在の信号がパブリック・ダウンリンク信号である場合、現在の信号を処理するためにパブリック・ベースバンド処理ユニット１２内の他のサブユニットに送信する。現在の信号がトラフィック・ダウンリンク信号である場合、現在の信号を処理するためにトラフィック・ベースバンド処理ユニット１３に送信する。
【００２２】
パブリック・ベースバンド処理ユニット１２は、ダウンリンク信号区別ユニット１１に接続されており、ダウンリンク信号区別ユニット１１が区別によって取得したパブリック・ダウンリンク信号を受信し、パブリック・ダウンリンク信号を符号化及び変調してパブリック・ベースバンド信号を取得し、パブリック・ベースバンド信号をキャリア・ユニットに送信するように構成されている。
【００２３】
この実施形態において、ダウンリンク信号区別ユニット１１が送信したパブリック・ダウンリンク信号を受信した後、パブリック・ベースバンド処理ユニット１２は、パブリック・ベースバンド信号に対して、符号化及び変調等の一連のベースバンド処理操作を実行する。具体的なベースバンド処理操作は、従来技術のベースバンド処理ユニットが用いるベースバンド処理操作と同じであってもよく、これについて、本明細書では、本発明のこの実施形態によるこれ以上の説明は行わない。
【００２４】
トラフィック・ベースバンド処理ユニット１３は、ダウンリンク信号区別ユニット１１に接続されており、ダウンリンク信号区別ユニット１１が区別によって取得したトラフィック・ダウンリンク信号を受信し、トラフィック・ダウンリンク信号を符号化及び変調してトラフィック・ベースバンド信号を取得し、トラフィック・ベースバンド信号をキャリア・ユニットに送信するように構成されている。
【００２５】
この実施形態において、ダウンリンク信号区別ユニット１１が送信したトラフィック・ダウンリンク信号を受信した後、トラフィック・ベースバンド処理ユニット１３は、トラフィック・ダウンリンク信号に対する符号化及び変調等の一連のベースバンド処理操作を実行する。具体的なベースバンド処理操作は、従来技術のベースバンド処理ユニットが用いるベースバンド処理操作と同じであってもよく、これについて、本明細書では、本発明のこの実施形態よるこれ以上の説明は行わない。
【００２６】
具体的には、パブリック・ダウンリンク信号とは別個にトラフィック・ダウンリンク信号を処理するための方法は以下の通りとすることができる。すなわち、図１に示す基地局のダウンリンクにおいて、比較的簡単な小規模ベースバンド処理チップをパブリック・ベースバンド処理ユニット１２として追加しつつ、基地局における元来のベースバンド処理モジュールをトラフィック・ベースバンド処理ユニット１３として用いる。このようにして、トラフィック信号及びパブリック信号を限られたコストで別個に処理することができ、パブリック信号はトラフィック・ベースバンド処理ユニットを占有しない。そして、トラフィック・ボリュームの量に従って、トラフィック・ベースバンド処理ユニットにおいてエネルギー保存及びハイバーネーションを実行することができる。更に、適正なリソース・スケジューリング・アルゴリズムを用いて、ダウンリンクのトラフィック信号を時間領域で一元的にスケジューリングすることができるので、トラフィック・ベースバンド処理ユニットのハイバーネーションの確率が高くなり、これによってベースバンド処理部分のエネルギー消費を更に効果的に低減させる。
【００２７】
更に、分散型の基地局においてはインタフェース・ユニットも含まれる。すなわち、インタフェース・ユニットを用いることで、ベースバンド処理ユニットとキャリア・ユニットとの間の信号送信を実行する。本発明のこの実施形態では、元来のインタフェース・ユニットを対応する変更なしで、そのままとすることができる。
【００２８】
また、本発明の実施形態は、ダウンリンク信号を処理するための装置に適用されるダウンリンク信号を処理するための方法も提供する。ここで、ダウンリンク信号を処理するための装置は、送信ユニット、ダウンリンク信号区別ユニット、パブリック・ベースバンド処理ユニット、及びトラフィック・ベースバンド処理ユニットを含み、ダウンリンク信号区別ユニットは送信ユニットに接続され、パブリック・ベースバンド処理ユニットはダウンリンク信号区別ユニットに接続され、かつトラフィック・ベースバンド処理ユニットはダウンリンク信号区別ユニットに接続される。
【００２９】
図３に示すように、本発明のこの実施形態が提供するダウンリンク信号を処理するための方法は以下を含んでもよい。
【００３０】
２０１．ダウンリンク信号区別ユニットは、送信ユニットが送信したダウンリンク信号を受信し、ダウンリンク信号のタイプを区別する。ダウンリンク信号は、パブリック・ダウンリンク信号及びトラフィック・ダウンリンク信号に分類される。
【００３１】
２０２．パブリック・ベースバンド処理ユニットは、ダウンリンク信号区別ユニットが区別によって取得したパブリック・ダウンリンク信号を受信し、パブリック・ダウンリンク信号を符号化及び変調してパブリック・ベースバンド信号を取得し、パブリック・ベースバンド信号をキャリア・ユニットに送信する。
【００３２】
２０３．トラフィック・ベースバンド処理ユニットは、ダウンリンク信号区別ユニットが区別によって取得したトラフィック・ダウンリンク信号を受信し、トラフィック・ダウンリンク信号を符号化及び変調してトラフィック・ベースバンド信号を取得し、トラフィック・ベースバンド信号をキャリア・ユニットに送信する。
【００３３】
本発明のこの実施形態が提供するダウンリンク信号を処理するための装置を、基地局に適用することが可能であり、、かつダウンリンク・デバイスの一部として使用することができるので、、本発明のこの実施形態が基地局に適用される状況を当業者に理解させるために、以下では、ダウンリンク信号を処理するための装置が基地局に適用される状況を記述する。
【００３４】
また、本発明のこの実施形態は基地局も提供する。図４に示すように、基地局は、送信ユニット３１、制御ユニット３２、アップリンク・デバイス３３、及び、本発明のこの実施形態におけるダウンリンク信号を処理するための装置を含むダウンリンク・デバイス３４を含んでもよい。
【００３５】
送信ユニット３１、制御ユニット３２、アップリンク・デバイス３３、及びダウンリンク・デバイス３４は、基地局に内在する構成要素である。本発明のこの実施形態の適用状況においては、ダウンリンク・デバイス３４に部分的な変更のみを行う。しかしながら、本発明のこの実施形態において提供されるパブリック・ベースバンド処理ユニット、トラフィック・ベースバンド処理ユニット、キャリア・ユニット、及び電力増幅ユニットは、ダウンリンク信号を処理するための装置の内部機能モジュールであり、ダウンリンク信号を処理するための装置を形成する。当該ダウンリンク信号を処理するための装置は、ダウンリンク・デバイス３４の内部装置である。
【００３６】
送信ユニット３１は、アップリンク・デバイス３３及びダウンリンク・デバイス３４に接続され、アップリンク・デバイス３３が送信したアップリンク信号を受信するように構成され、更にダウンリンク信号をダウンリンク・デバイス３４に送信するように構成されている。
【００３７】
制御ユニット３２は、ダウンリンク・デバイス３４に接続され、ダウンリンク・デバイス３４内のいくつかの機能ユニット及びモジュールの有効化及び無効化を制御するように構成されている。
【００３８】
送信ユニット３１は、アップリンク・デバイス３３が送信したアップリンク信号を受信するように構成することができ、更にダウンリンク信号をダウンリンク・デバイス３４に送信するように構成することができる。制御ユニット３２は、ダウンリンク・デバイス３４内の各機能ユニットの電圧、電力、有効化、又はハイバーネーションをスケジューリング又は制御するように構成されている。
【００３９】
具体的には、制御ユニット３２は、ダウンリンク・トラフィックが存在しないか又はダウンリンク・トラフィックのボリュームが少ない場合に、ダウンリンク・デバイス３４内のトラフィック・ベースバンド処理ユニットを無効にすることができ、送信ユニット３１がダウンリンク信号をダウンリンク・デバイス３４に送信した場合に、ダウンリンク・デバイス３４内のトラフィック・ベースバンド処理ユニットを再度有効に（ｒｅ−ｅｎａｂｌｅ）することができる。例えば制御ユニット３２は、ダウンリンク・トラフィックが存在しない場合にトラフィック・ベースバンド処理ユニットの電力供給を切断することができ、また、トラフィック・ボリュームが少ない場合にトラフィック・ベースバンド処理ユニットの電圧及び電力を低減することができる。
【００４０】
本発明のこの実施形態が提供するダウンリンク信号を処理するための方法における全てのステップの具体的な記述、及び基地局の実施形態における全ての機能モジュールの具体的な記述に関する詳細については、ダウンリンク信号を処理するための装置における対応する内容を参照することができ、本明細書では本発明のこの実施形態によってこれ以上は説明しないことに留意すべきである。
【００４１】
本発明のこの実施形態が提供するダウンリンク信号を処理するための装置及び方法は、パブリック信号の送信リンクからトラフィック信号の送信リンクを分離することで、トラフィック信号が存在しない場合に現在のエネルギー保存技術によってトラフィック信号の送信リンクを切断又は休止させることを可能とする。パブリック信号が送信リンクを長期間に渡って用いるためにトラフィック信号の送信リンクの停止又は休止を行うことができない従来技術のアーキテクチャに比べ、本発明のこの実施形態は、基地局のエネルギー消費をいっそう効果的に低減させることができる。
【００４２】
実施形態２
ベースバンド処理リソース及び電力増幅リソースを節約するため、本発明のこの実施形態は、ダウンリンク信号を処理するための装置を提供する。図５に示すように、ダウンリンク信号を処理するための装置は、基地局のダウンリンクに適用することができ、ダウンリンク信号区別ユニット４１、パブリック・ベースバンド処理ユニット４２、及びトラフィック・ベースバンド処理ユニット４３を含む。
【００４３】
ダウンリンク信号区別ユニット４１は、送信ユニットに接続され、送信ユニットが送信したダウンリンク信号を受信してダウンリンク信号のタイプを区別するように構成されている。ダウンリンク信号は、パブリック・ダウンリンク信号及びトラフィック・ダウンリンク信号に分類することができる。
【００４４】
パブリック・ベースバンド処理ユニット４２は、ダウンリンク信号区別ユニット４１に接続されており、ダウンリンク信号区別ユニット４１が区別によって取得したパブリック・ダウンリンク信号を受信し、パブリック・ダウンリンク信号を符号化及び変調してパブリック・ベースバンド信号を取得し、かつパブリック・ベースバンド信号をキャリア・ユニットに送信するように構成されている。
【００４５】
トラフィック・ベースバンド処理ユニット４３は、ダウンリンク信号区別ユニット４１に接続され、ダウンリンク信号区別ユニット４１が区別によって取得したトラフィック・ダウンリンク信号を受信し、トラフィック・ダウンリンク信号を符号化及び変調してトラフィック・ベースバンド信号を取得し、かつトラフィック・ベースバンド信号をキャリア・ユニットに送信するように構成されている。
【００４６】
本発明のこの実施形態が提供する実施状況において、電力増幅ユニットのエネルギー消費を更に低減させるため、パブリック・キャリア信号の電力増幅処理ユニットをトラフィック・キャリア信号の電力増幅処理ユニットとは別個にすることで、トラフィック信号が存在しないか又はトラフィック・ボリュームが少ない場合にトラフィック電力増幅ユニットを停止する。ダウンリンク信号を処理するための装置は、キャリア信号区別ユニット４４、パブリック電力増幅ユニット４５、及びトラフィック電力増幅ユニット４６を更に含んでもよい。
【００４７】
キャリア信号区別ユニット４４は、キャリア・ユニットに接続され、キャリア・ユニットが処理によって取得したキャリア信号を受信してキャリア信号のタイプを区別するように構成されている。キャリア信号は、パブリック・キャリア信号及びトラフィック・キャリア信号に分類される。
【００４８】
トラフィック・ダウンリンク信号はユーザ・データ・ダウンロード等のトラフィック信号とすることができ、パブリック・ダウンリンク信号は報知制御チャネル（ＢＣＣＨ：Ｂｒｏａｄｃａｓｔ  Ｃｏｎｔｒｏｌ  Ｃｈａｎｎｅｌ）信号又はパイロット信号等のパブリック信号とすることができることは理解されよう。トラフィック・キャリア信号は、トラフィック・ダウンリンク信号がベースバンド処理を経た後に取得され、パブリック・キャリア信号は、パブリック・ダウンリンク信号がベースバンド処理を経た後に取得される。従って、キャリア信号のタイプはトラフィック・キャリア信号及びパブリック・キャリア信号に分類することができる。パブリック信号電力が大部分を占める無線通信システムにおいては、トラフィック・キャリア信号を分離することができず、又はキャリア・モジュールがコスト重視であり、実施形態１と同様に対応するエネルギー処理をキャリア・モジュール上で実行できない場合があり、キャリア処理は、元来のキャリア・モジュールを用いてパブリック・ベースバンド信号及びトラフィック・ベースバンド信号に対して実行される。
【００４９】
この実施形態においては、電力増幅処理モジュールをトラフィック電力増幅ユニット４６及びパブリック電力増幅ユニット４５に分けることができるので、電力増幅処理に関して、トラフィック・キャリア信号及びパブリック・キャリア信号を分離することができる。更に、キャリア信号区別ユニット４４を追加することができる。キャリア信号区別ユニット４４は基地局内の元来のキャリア・モジュールに接続されており、キャリア・モジュールが送信したキャリア信号を受信し、キャリア信号のタイプを区別し、かつトラフィック・キャリア信号を電力増幅処理のためにトラフィック電力増幅ユニット４６に送信すると共にパブリック・キャリア信号を電力増幅処理のためにパブリック電力増幅ユニット４５に送信するように構成されている。
【００５０】
キャリア信号区別ユニット４４は、基地局のアーキテクチャに個別に追加した機能ユニットとすることができ、更に、キャリア・ユニット、パブリック電力増幅ユニット４５、又はトラフィック電力増幅ユニット４６内に埋め込まれたサブユニットとすることも可能であることに留意すべきである。
【００５１】
パブリック電力増幅ユニット４５は、キャリア信号区別ユニット４４に接続されており、キャリア信号区別ユニット４４が区別によって取得したパブリック・キャリア信号を受信し、かつパブリック・キャリア信号の電力を増幅した後にパブリック出力信号を出力するように構成されている。
【００５２】
この実施形態において、キャリア信号区別ユニット４４が送信したパブリック・キャリア信号を受信した後、パブリック電力増幅ユニット４５は、パブリック・キャリア信号の電力の増幅等の一連の電力増幅処理操作を実行する。具体的な電力増幅処理操作は、従来技術の電力増幅モジュールが用いる電力増幅処理操作と同一とすることができ、本明細書では本発明のこの実施形態によってこれ以上は説明しない。
【００５３】
トラフィック電力増幅ユニット４６は、キャリア信号区別ユニット４４に接続されており、キャリア信号区別ユニット４４が区別によって取得したトラフィック・キャリア信号を受信し、かつトラフィック・キャリア信号の電力を増幅した後にトラフィック出力信号を出力するように構成されている。
【００５４】
この実施形態において、キャリア信号区別ユニット４４が送信したトラフィック・キャリア信号を受信した後、トラフィック電力増幅ユニット４６は、トラフィック・キャリア信号の電力の増幅等の一連の電力増幅処理操作を実行する。具体的な電力増幅処理操作は、従来技術の電力増幅モジュールが用いる電力増幅処理操作と同一とすることができ、本明細書では本発明のこの実施形態によってこれ以上は説明しない。
【００５５】
具体的には、パブリック・キャリア信号からトラフィック・キャリア信号を分離するための方法は以下の通りとすることができる。すなわち、図２に示す基地局のダウンリンクにおいて、比較的簡単な小規模電力増幅処理チップをパブリック電力増幅ユニット４５として追加しつつ、基地局における元来の電力増幅処理モジュールをトラフィック電力増幅処理ユニット４６として用いる。このようにして、トラフィック・キャリア信号及びパブリック・キャリア信号を限られたコストで別個に処理し、パブリック信号はトラフィック電力増幅処理ユニットを占有しない。トラフィック信号が存在しないか又はサービス・ボリュームが少ない場合、トラフィック電力増幅ユニットにおいて無効化及びエネルギー保存を実行可能である。更に、適正なリソース・スケジューリング・アルゴリズムを用いて、トラフィック信号を時間領域で一元的にスケジューリングすることができるので、トラフィック電力増幅ユニットのハイバーネーションの確率が高くなり、これによって電力増幅処理部分のエネルギー消費を更に効果的に低減させる。
【００５６】
更に、分散型の基地局においてはインタフェース・ユニットも含まれることに留意すべきである。すなわち、インタフェース・ユニットを用いることで、ベースバンド処理ユニットとキャリア・ユニットとの間の信号送信を実施することができる。本発明のこの実施形態では、元来のインタフェース・ユニットを対応する変更なしでそのままとすることができる。本発明のこの実施形態が提供するダウンリンク信号を処理するための装置におけるいくつかの機能ユニットの具体的な記述に関する詳細については、実施形態１における対応する内容を参照することができ、本明細書では本発明のこの実施形態によってこれ以上は説明しない。
【００５７】
また、本発明のこの実施形態は、ダウンリンク信号を処理するための装置に適用することができるダウンリンク信号を処理するための方法も提供する。ここで、ダウンリンク信号を処理するための装置は、送信ユニット、ダウンリンク信号区別ユニット、パブリック・ベースバンド処理ユニット、及びトラフィック・ベースバンド処理ユニットを含み、ダウンリンク信号区別ユニットは送信ユニットに接続され、パブリック・ベースバンド処理ユニットはダウンリンク信号区別ユニットに接続され、かつトラフィック・ベースバンド処理ユニットはダウンリンク信号区別ユニットに接続される。
【００５８】
図６に示すように、この方法は以下を含んでもよい。
【００５９】
５０１．ダウンリンク信号区別ユニットは、送信ユニットが送信したダウンリンク信号を受信し、ダウンリンク信号のタイプを区別する。ダウンリンク信号は、パブリック・ダウンリンク信号及びトラフィック・ダウンリンク信号に分類される。
【００６０】
５０２．パブリック・ベースバンド処理ユニットは、ダウンリンク信号区別ユニットが区別によって取得したパブリック・ダウンリンク信号を受信し、パブリック・ダウンリンク信号を符号化及び変調してパブリック・ベースバンド信号を取得し、パブリック・ベースバンド信号をキャリア・ユニットに送信する。
【００６１】
５０３．トラフィック・ベースバンド処理ユニットは、ダウンリンク信号区別ユニットが区別によって取得したトラフィック・ダウンリンク信号を受信し、トラフィック・ダウンリンク信号を符号化及び変調してトラフィック・ベースバンド信号を取得し、トラフィック・ベースバンド信号をキャリア・ユニットに送信する。
【００６２】
本発明のこの実施形態が提供する実施状況において、ダウンリンク信号を処理するための装置は、キャリア信号区別ユニット、パブリック電力増幅ユニット、及びトラフィック電力増幅ユニットを更に含むことができ、キャリア信号区別ユニットはキャリア・ユニットに接続され、パブリック電力増幅ユニットはキャリア信号区別ユニットに接続され、トラフィック電力増幅ユニットはキャリア信号区別ユニットに接続される。この方法は更に以下を含む。
【００６３】
５０４．キャリア・ユニットは、受信したパブリック・ベースバンド信号又はトラフィック・ベースバンド信号にアップ・コンバージョン及びデジタル・アナログＤＡ変換を実行してキャリア信号を取得し、キャリア信号をキャリア信号区別ユニットに送信する。
【００６４】
この実施形態においては、キャリア・ユニットにおいて対応する分離又は調節を実行しない。すなわち、パブリック・ベースバンド処理ユニット及びトラフィック・ベースバンド処理ユニットが送信したパブリック・ベースバンド信号及びトラフィック・ベースバンド信号を受信した後、キャリア・ユニットはこれら２つのベースバンド信号に対応するキャリア処理を実行し、次いで取得したキャリア信号をキャリア信号区別ユニットに送信する。
【００６５】
５０５．キャリア信号区別ユニットは、キャリア・ユニットが処理によって取得したキャリア信号を受信し、キャリア信号のタイプを区別する。キャリア信号は、パブリック・キャリア信号及びトラフィック・キャリア信号に分類される。
【００６６】
５０６．パブリック電力増幅ユニットは、キャリア信号区別ユニットが区別によって取得したパブリック・キャリア信号を受信し、パブリック・キャリア信号の電力を増幅した後にパブリック出力信号を出力する。
【００６７】
５０７．トラフィック電力増幅ユニットは、キャリア信号区別ユニットが区別によって取得したトラフィック・キャリア信号を受信し、トラフィック・キャリア信号の電力を増幅した後にトラフィック出力信号を出力する。
【００６８】
本発明のこの実施形態が提供するダウンリンク信号を処理するための装置を、基地局に適用することが可能であり、かつダウンリンク・デバイスの一部として使用することができるので、本発明のこの実施形態が基地局に適用される状況を当業者に理解させるために、以下では、ダウンリンク信号を処理するための装置が基地局に適用される状況を記述する。
【００６９】
また、本発明のこの実施形態は基地局も提供する。図７に示すように基地局は、送信ユニット６１、制御ユニット６２、アップリンク・デバイス６３、及び、本発明のこの実施形態におけるダウンリンク信号を処理するための装置を含むダウンリンク・デバイス６４を含んでもよい。
【００７０】
送信ユニット６１、制御ユニット６２、アップリンク・デバイス６３、及びダウンリンク・デバイス６４は、基地局に内在する構成要素である。本発明のこの実施形態の適用状況においては、ダウンリンク・デバイス６４に部分的な変更のみを行う。しかしながら、本発明のこの実施形態において提供されるパブリック・ベースバンド処理ユニット、トラフィック・ベースバンド処理ユニット、キャリア・ユニット、トラフィック電力増幅ユニット、パブリック電力増幅ユニット等は、ダウンリンク信号を処理するための装置の内部機能モジュールであり、ダウンリンク信号を処理するための装置を形成する。ダウンリンク信号を処理するための装置は、ダウンリンク・デバイス６４の内部装置である。
【００７１】
送信ユニット６１は、アップリンク・デバイス６３及びダウンリンク・デバイス６４に接続され、アップリンク・デバイス６３が送信したアップリンク信号を受信するように構成することができ、更にダウンリンク信号をダウンリンク・デバイス６４に送信するように構成することができる。
【００７２】
制御ユニット６２は、ダウンリンク・デバイス６４に接続され、ダウンリンク・デバイス６４内のいくつかの機能ユニット及びモジュールの有効化及び無効化を制御するように構成されている。
【００７３】
制御ユニット６２が制御する機能ユニット及びモジュールは、トラフィック・ベースバンド処理ユニット及びトラフィック電力増幅ユニットを含んでもよい。。制御ユニット６２は送信ユニット６１を監視し、送信ユニット６１がトラフィック・ダウンリンク信号をダウンリンク・デバイス６４に送信しない場合にトラフィック・ベースバンド処理ユニットを停止し、かつ送信ユニット６１がトラフィック・ダウンリンク信号をダウンリンク・デバイス６４に送信する場合にトラフィック・ベースバンド処理ユニットを有効にする。
【００７４】
具体的には、制御ユニット６２は、ダウンリンク・トラフィックが存在しないか又はダウンリンク・トラフィックのボリュームが少ない場合に、トラフィック・ベースバンド処理ユニットを停止することができ、かつ送信ユニット６１がダウンリンク信号をダウンリンク・デバイス６４に送信する場合に、トラフィック・ベースバンド処理ユニットを、再度、有効化することができる。例えば制御ユニット６２は、ダウンリンク・トラフィックが存在しない場合にトラフィック・ベースバンド処理ユニット及びトラフィック電力増幅ユニットの電力供給を切断することができ、また、トラフィック・ボリュームが少ない場合にトラフィック・ベースバンド処理ユニット及びトラフィック電力増幅ユニットの電圧及び電力を低減させることができる。
【００７５】
本発明のこの実施形態におけるダウンリンク信号を処理するための方法及び基地局の一部の具体的な記述に関する詳細については、実施形態１及び本発明のこの実施形態のダウンリンク信号を処理するための装置における対応する内容を参照することができ、本明細書では本発明のこの実施形態によってこれ以上は説明しないことに留意すべきである。
【００７６】
本発明のこの実施形態が提供するダウンリンク信号を処理するための装置及び方法は、パブリック信号の送信リンクからトラフィック信号の送信リンクを分離することで、トラフィック信号が存在しない場合に現在のエネルギー保存技術によってトラフィック信号の送信リンクを切断又は休止させることを可能とする。パブリック信号が送信リンクを長期間に渡って用いるためにトラフィック信号の送信リンクの切断又は休止を行うことができない従来技術のアーキテクチャに比べ、本発明のこの実施形態は、基地局のエネルギー消費をいっそう効果的に低減させることができる。
【００７７】
実施形態３
ベースバンド処理リソース、キャリア処理リソース、及び電力増幅リソースを節約するために、本発明のこの実施形態は、基地局のダウンリンクに適用可能であるダウンリンク信号を処理するための装置を提供する。図８に示すように、ダウンリンク信号を処理するための装置は、ダウンリンク信号区別ユニット７１、パブリック・ベースバンド処理ユニット７２、及びトラフィック・ベースバンド処理ユニット７３を含んでもよい。
【００７８】
ダウンリンク信号区別ユニット７１は、送信ユニットに接続され、送信ユニットが送信したダウンリンク信号を受信してダウンリンク信号のタイプを区別するように構成されている。ダウンリンク信号は、パブリック・ダウンリンク信号及びトラフィック・ダウンリンク信号に分類することができる。
【００７９】
パブリック・ベースバンド処理ユニット７２は、ダウンリンク信号区別ユニット７１に接続されており、ダウンリンク信号区別ユニット７１が区別によって取得したパブリック・ダウンリンク信号を受信し、パブリック・ダウンリンク信号を符号化及び変調してパブリック・ベースバンド信号を取得し、かつパブリック・ベースバンド信号をキャリア・ユニット７４に送信するように構成されている。
【００８０】
トラフィック・ベースバンド処理ユニット７３は、ダウンリンク信号区別ユニット７１に接続されており、ダウンリンク信号区別ユニット７１が区別によって取得したトラフィック・ダウンリンク信号を受信し、トラフィック・ダウンリンク信号を符号化及び変調してトラフィック・ベースバンド信号を取得し、かつトラフィック・ベースバンド信号をキャリア・ユニット７４に送信するように構成されている。
【００８１】
本発明のこの実施形態が提供する実施状況において、キャリア・ユニットの電力消費を更に低減させるため、パブリック・ベースバンド信号のキャリア処理ユニットをトラフィック・ベースバンド信号のキャリア処理ユニットとは別個にすることで、トラフィック信号が存在しないか又はトラフィック・ボリュームが少ない場合にトラフィック・キャリア・ユニットの電力供給を遮断する。キャリア・ユニット７４は、パブリック・キャリア・モジュール７４１及びトラフィック・キャリア・モジュール７４２を含んでもよい。ダウンリンク信号を処理するための装置は、パブリック電力増幅ユニット７５及びトラフィック電力増幅ユニット７６を更に含んでもよい。
【００８２】
パブリック・キャリア・モジュール７４１は、パブリック・ベースバンド処理ユニット７２に接続されており、パブリック・ベースバンド処理ユニット７２が処理によって取得したパブリック・ベースバンド信号を受信し、パブリック・ベースバンド信号にアップ・コンバージョン及びデジタル・アナログＤＡ変換を実行してパブリック・キャリア信号を取得し、かつパブリック・キャリア信号をパブリック電力増幅ユニット７５に送信するように構成されている。
【００８３】
この実施形態においては、ベースバンド処理の前にダウンリンク信号のタイプがダウンリンク信号区別ユニット７１によって既に区別されているので、パブリック・ダウンリンク信号は専用のパブリック・ダウンリンク、すなわちパブリック・ベースバンド処理ユニット７２、パブリック・キャリア・モジュール７４１、及びパブリック電力増幅ユニット７５を占有する。また、トラフィック・ダウンリンク信号は専用のトラフィック・ダウンリンク、すなわちトラフィック・ベースバンド処理ユニット７３、トラフィック・キャリア・モジュール７４２、及びトラフィック電力増幅ユニット７６を占有する。従って、パブリック・キャリア・モジュール７４１はパブリック・ベースバンド処理ユニット７２からパブリック・ベースバンド信号を受信することができ、かつトラフィック・キャリア・モジュール７４２はトラフィック・ベースバンド処理ユニット７３からトラフィック・ベースバンド信号を受信することができるので、ベースバンド信号のタイプを更に区別しないでも良い。同様に、パブリック電力増幅器７５はパブリック・キャリア・モジュール７４１からパブリック・キャリア信号を受信することができ、かつトラフィック電力増幅ユニット７６はトラフィック・キャリア・モジュール７４２からトラフィック・キャリア信号を受信することができるので、キャリア信号のタイプを更に区別しないでも良い。
【００８４】
この実施形態において、パブリック・ベースバンド処理ユニット７２が送信したパブリック・ダウンリンク信号を受信した後、パブリック・キャリア・モジュール７４１は、パブリック・ダウンリンク信号に対して、アップ・コンバージョン及びＤＡ変換等の一連のキャリア処理操作を実行する。具体的なキャリア処理操作は、従来技術のキャリア・モジュールが用いるキャリア処理操作と同じであってもよく、これについて、本明細書では、本発明のこの実施形態によるこれ以上の説明は行わない。
【００８５】
トラフィック・キャリア・モジュール７４２は、トラフィック・ベースバンド処理ユニット７３に接続されており、トラフィック・ベースバンド処理ユニット７３が処理によって取得したトラフィック・ベースバンド信号を受信し、トラフィック・ベースバンド信号にアップ・コンバージョン及びデジタル・アナログＤＡ変換を実行してトラフィック・キャリア信号を取得し、かつトラフィック・キャリア信号をトラフィック電力増幅ユニット７６に送信するように構成されている。
【００８６】
この実施形態において、トラフィック・ベースバンド処理ユニット７３が送信したトラフィック・ダウンリンク信号を受信した後、トラフィック・キャリア・モジュール７４２は、トラフィック・ダウンリンク信号にアップ・コンバージョン及びＤＣ変換等の一連のキャリア処理操作を実行する。具体的なキャリア処理操作は、従来技術のキャリア・モジュールが用いるキャリア処理操作と同一とすることができ、本明細書では本発明のこの実施形態によってこれ以上は説明しない。
【００８７】
パブリック電力増幅ユニット７５は、パブリック・キャリア・モジュール７４１に接続されており、パブリック・キャリア・モジュール７４１が送信したパブリック・キャリア信号を受信し、かつパブリック・キャリア信号の電力を増幅した後にパブリック出力信号を出力するように構成されている。
【００８８】
トラフィック電力増幅ユニット７６は、トラフィック・キャリア・モジュール７４２に接続されており、トラフィック・キャリア・モジュール７４２が送信したトラフィック・キャリア信号を受信し、かつトラフィック・キャリア信号の電力を増幅した後にトラフィック出力信号を出力するように構成されている。
【００８９】
更に、図９に示すように、分散型の基地局においてはインタフェース・ユニットが更に含まれる。インタフェース・ユニットは、パブリック・ベースバンド処理ユニット７２及びトラフィック・ベースバンド処理ユニット７３が送信したパブリック・ベースバンド信号及びトラフィック・ベースバンド信号を受信し、かつこれら２つのベースバンド信号を更にキャリア処理のためにキャリア処理装置に送信する。インタフェース・ユニットが送信したパブリック・ベースバンド信号及びトラフィック・ベースバンド信号を分離するため、ダウンリンク信号を処理するための装置はベースバンド信号区別ユニット７７を更に含んでもよい。
【００９０】
ベースバンド信号区別ユニット７７は、インタフェース・ユニットを用いてパブリック・ベースバンド処理ユニット７２及びトラフィック・ベースバンド処理ユニット７３に接続されており、インタフェース・ユニットを介してパブリック・ベースバンド処理ユニット７２及びトラフィック・ベースバンド処理ユニット７３が送信したベースバンド信号を受信し、かつ受信したベースバンド信号のタイプを区別するように構成されている。ベースバンド信号は、パブリック・ベースバンド信号及びトラフィック・ベースバンド信号に分類することができる。
【００９１】
ベースバンド信号区別ユニット７７は、基地局のアーキテクチャに個別に追加した機能ユニットとすることができ、更に、インタフェース・ユニット、パブリック・キャリア・モジュール７４１、又はトラフィック・キャリア・ユニット７４２内に埋め込まれたサブユニットとすることも可能であることに留意すべきである。
【００９２】
パブリック・キャリア・モジュール７４１は、ベースバンド信号区別ユニット７７に接続されており、更に、ベースバンド信号区別ユニット７７が区別によって取得したパブリック・ベースバンド信号を受信し、パブリック・ベースバンド信号にアップ・コンバージョン及びデジタル・アナログＤＡ変換を実行してパブリック・キャリア信号を取得し、かつパブリック・キャリア信号をパブリック電力増幅ユニット７５に送信するように構成されている。
【００９３】
トラフィック・キャリア・モジュール７４２は、ベースバンド信号区別ユニット７７に接続されており、更に、ベースバンド信号区別ユニット７７が区別によって取得したトラフィック・ベースバンド信号を受信し、トラフィック・ベースバンド信号にアップ・コンバージョン及びデジタル・アナログＤＡ変換を実行してトラフィック・キャリア信号を取得し、かつトラフィック・キャリア信号をトラフィック電力増幅ユニット７６に送信するように構成されている。
【００９４】
また、本発明の実施形態は、ダウンリンク信号を処理するための装置に適用可能であるダウンリンク信号を処理するための方法も提供する。ここで、ダウンリンク信号を処理するための装置は、ダウンリンク信号区別ユニット、パブリック・ベースバンド処理ユニット、及びトラフィック・ベースバンド処理ユニットを含み、ダウンリンク信号区別ユニットは送信ユニットに接続され、パブリック・ベースバンド処理ユニットはダウンリンク信号区別ユニットに接続され、かつトラフィック・ベースバンド処理ユニットはダウンリンク信号区別ユニットに接続される。
【００９５】
図１０に示すように、この方法は以下を含んでもよい。
【００９６】
８０１．ダウンリンク信号区別ユニットは、送信ユニットが送信したダウンリンク信号を受信し、かつダウンリンク信号のタイプを区別する。ダウンリンク信号は、パブリック・ダウンリンク信号及びトラフィック・ダウンリンク信号に分類される。
【００９７】
８０２．パブリック・ベースバンド処理ユニットは、ダウンリンク信号区別ユニットが区別によって取得したパブリック・ダウンリンク信号を受信し、パブリック・ダウンリンク信号を符号化及び変調してパブリック・ベースバンド信号を取得し、かつパブリック・ベースバンド信号をキャリア・ユニットに送信する。
【００９８】
８０３．トラフィック・ベースバンド処理ユニットは、ダウンリンク信号区別ユニットが区別によって取得したトラフィック・ダウンリンク信号を受信し、トラフィック・ダウンリンク信号を符号化及び変調してトラフィック・ベースバンド信号を取得し、かつトラフィック・ベースバンド信号をキャリア・ユニットに送信する。
【００９９】
本発明のこの実施形態が提供する実施状況において、キャリア・ユニットはパブリック・キャリア・モジュール及びトラフィック・キャリア・モジュールを更に含む。パブリック・キャリア・モジュールはパブリック・ベースバンド処理ユニットに接続され、かつトラフィック・キャリア・モジュールはトラフィック・ベースバンド処理ユニットに接続される。ダウンリンク信号を処理するための装置は、パブリック電力増幅ユニット及びトラフィック電力増幅ユニットを更に含んでもよい。パブリック電力増幅ユニットはパブリック・キャリア・モジュールに接続され、かつトラフィック電力増幅ユニットはトラフィック・キャリア・モジュールに接続される。この方法は、更に、以下を含んでもよい。
【０１００】
８０４．パブリック・キャリア・モジュールは、パブリック・ベースバンド処理ユニットが処理によって取得したパブリック・ベースバンド信号を受信し、パブリック・ベースバンド信号にアップ・コンバージョン及びデジタル・アナログＤＡ変換を実行してパブリック・キャリア信号を取得し、かつパブリック・キャリア信号をパブリック電力増幅ユニットに送信する。
【０１０１】
８０５．トラフィック・キャリア・モジュールは、トラフィック・ベースバンド処理ユニットが処理によって取得したトラフィック・ベースバンド信号を受信し、トラフィック・ベースバンド信号にアップ・コンバージョン及びデジタル・アナログＤＡ変換を実行してトラフィック・キャリア信号を取得し、かつトラフィック・キャリア信号をトラフィック電力増幅ユニットに送信する。
【０１０２】
８０６．パブリック電力増幅ユニットは、パブリック・キャリア・モジュールが送信したパブリック・キャリア信号を受信し、かつパブリック・キャリア信号の電力を増幅した後にパブリック出力信号を出力する。
【０１０３】
８０７．トラフィック電力増幅ユニットは、トラフィック・キャリア・モジュールが送信したトラフィック・キャリア信号を受信し、かつトラフィック・キャリア信号の電力を増幅した後にトラフィック出力信号を出力する。
【０１０４】
更に、分散型の基地局においては、ダウンリンク信号を処理するための装置はベースバンド信号区別ユニットを更に含んでもよい。ベースバンド信号区別ユニットは、インタフェース・ユニットを用いることで、パブリック・ベースバンド処理ユニット及びトラフィック・ベースバンド処理ユニットに接続される。
【０１０５】
図１１に示すように、この方法は更に以下を含んでもよい。
【０１０６】
８０８．ベースバンド信号区別ユニットは、インタフェース・ユニットを介してパブリック・ベースバンド処理ユニット及びトラフィック・ベースバンド処理ユニットが送信したベースバンド信号を受信し、かつ受信したベースバンド信号のタイプを区別する。ベースバンド信号は、パブリック・ベースバンド信号及びトラフィック・ベースバンド信号に分類される。
【０１０７】
８０９．パブリック・キャリア・モジュールは、ベースバンド信号区別ユニットが区別によって取得したパブリック・ベースバンド信号を受信し、パブリック・ベースバンド信号にアップ・コンバージョン及びデジタル・アナログＤＡ変換を実行してパブリック・キャリア信号を取得し、かつパブリック・キャリア信号をパブリック電力増幅ユニットに送信する。
【０１０８】
８１０．トラフィック・キャリア・モジュールは、ベースバンド信号区別ユニットが区別によって取得したトラフィック・ベースバンド信号を受信し、トラフィック・ベースバンド信号にアップ・コンバージョン及びデジタル・アナログＤＡ変換を実行してトラフィック・キャリア信号を取得し、かつトラフィック・キャリア信号をトラフィック電力増幅ユニットに送信する。
【０１０９】
本発明のこの実施形態が提供するダウンリンク信号を処理するための装置は、基地局に適用することが可能であり、かつダウンリンク・デバイスの一部として使用することができるので、本発明のこの実施形態が基地局に適用される状況を当業者に理解させるために、以下では、ダウンリンク信号を処理するための装置が基地局に適用される状況を記述する。
【０１１０】
また、本発明のこの実施形態は基地局も提供する。図１２に示すように、基地局は、送信ユニット９１、制御ユニット９２、アップリンク・デバイス９３、及び、本発明のこの実施形態におけるダウンリンク信号を処理するための装置を含むダウンリンク・デバイス９４を含んでもよい。
【０１１１】
送信ユニット９１、制御ユニット９２、アップリンク・デバイス９３、及びダウンリンク・デバイス９４は、基地局に内在する構成要素である。本発明のこの実施形態の適用状況においては、ダウンリンク・デバイス９４に部分的な変更のみを行う。しかしながら、本発明のこの実施形態において提供されるパブリック・ベースバンド処理ユニット、トラフィック・ベースバンド処理ユニット、キャリア・ユニット、トラフィック電力増幅ユニット、及びパブリック電力増幅ユニットは、ダウンリンク信号を処理するための装置の内部機能モジュールであり、かつダウンリンク信号を処理するための装置を形成する。当該ダウンリンク信号を処理するための装置は、ダウンリンク・デバイス９４の内部装置である。
【０１１２】
送信ユニット９１は、アップリンク・デバイス９３及びダウンリンク・デバイス９４に接続され、アップリンク・デバイス９３が送信したアップリンク信号を受信するように構成することができ、更にダウンリンク信号をダウンリンク・デバイス９４に送信するように構成することができる。
【０１１３】
制御ユニット９２は、ダウンリンク・デバイス９４に接続され、ダウンリンク・デバイス９４内のいくつかの機能ユニット及びモジュールの有効化及び無効化を制御するように構成されている。
【０１１４】
更に、制御ユニット９２が制御する機能ユニット及びモジュールは、トラフィック・ベースバンド処理ユニット、トラフィック電力増幅ユニット、及びトラフィック・キャリア・モジュールを含んでもよい。制御ユニット９２は送信ユニット９１を監視し、送信ユニット９１がトラフィック・ダウンリンク信号をダウンリンク・デバイス９４に送信しない場合に、トラフィック・ベースバンド処理ユニット、トラフィック電力増幅ユニット、及びトラフィック・キャリア・モジュールを停止し、かつ送信ユニット９１がトラフィック・ダウンリンク信号をダウンリンク・デバイス９４に送信する場合に、トラフィック・ベースバンド処理ユニット、トラフィック電力増幅ユニット、又はトラフィック・キャリア・モジュールを有効にする。
【０１１５】
具体的には、制御ユニット９２は、ダウンリンク・トラフィックが存在しないか又はダウンリンク・トラフィックのボリュームが少ない場合、トラフィック・ベースバンド処理ユニットを停止することができ、また、送信ユニット９１がダウンリンク信号をダウンリンク・デバイス９４に送信する場合、トラフィック・ベースバンド処理ユニットを、再度、有効にすることができる。例えば制御ユニット９２は、ダウンリンク・トラフィックが存在しない場合に、トラフィック・ベースバンド処理ユニット、トラフィック・キャリア・モジュール、及びトラフィック電力増幅ユニットの電力供給を切断することができ、また、トラフィック・ボリュームが少ない場合に、トラフィック・ベースバンド処理ユニット、トラフィック・キャリア・モジュール、及びトラフィック電力増幅ユニットの電圧及び電力を低減させることができる。
【０１１６】
本発明のこの実施形態におけるダウンリンク信号を処理するための方法及び基地局の一部の具体的な記述に関する詳細については、実施形態１、実施形態２、及び本発明のこの実施形態のダウンリンク信号を処理するための装置における対応する内容を参照することができ、本明細書では本発明のこの実施形態によってこれ以上は説明しないことに留意すべきである。
【０１１７】
本発明のこの実施形態が提供するダウンリンク信号を処理するための装置及び方法は、パブリック信号の送信リンクからトラフィック信号の送信リンクを分離させることで、トラフィック信号が存在しない場合に現在のエネルギー保存技術によってトラフィック信号の送信リンクを切断又は休止させることを可能とする。パブリック信号が送信リンクを長期間に渡って用いるためにトラフィック信号の送信リンクの切断又は休止を行うことができない従来技術のアーキテクチャに比べ、本発明のこの実施形態は、基地局のエネルギー消費をいっそう効果的に低減させることができる。
【０１１８】
実施形態４
本発明のこの実施形態は、基地局のダウンリンクに適用可能であるダウンリンク信号を処理するための装置を提供する。図１３に示すように、ダウンリンク信号を処理するための装置は以下を含んでもよい。
キャリア信号区別ユニット１００１、パブリック電力増幅器１００２、及びトラフィック電力増幅器１００３。
【０１１９】
キャリア信号区別ユニット１００１は、基地局のダウンリンクのキャリア・ユニットに接続されており、キャリア・ユニットが処理によって取得したキャリア信号を受信し、かつキャリア信号のタイプを区別するように構成されている。キャリア信号は、パブリック・キャリア信号及びトラフィック・キャリア信号に分類される。
【０１２０】
パブリック電力増幅ユニット１００２は、キャリア信号区別ユニット１００１に接続されており、キャリア信号区別ユニット１００１が区別によって取得したパブリック・キャリア信号を受信し、かつパブリック・キャリア信号の電力を増幅した後にパブリック出力信号を出力するように構成されている。
【０１２１】
トラフィック電力増幅ユニット１００３は、キャリア信号区別ユニット１００１に接続されており、キャリア信号区別ユニット１００１が区別によって取得したトラフィック・キャリア信号を受信し、かつトラフィック・キャリア信号の電力を増幅した後にトラフィック出力信号を出力するように構成されている。
【０１２２】
図１３に示すダウンリンク信号を処理するための装置を用いることによって、パブリック・キャリア信号の電力増幅処理からトラフィック・キャリア信号の電力増幅処理を分離させ、ダウンリンク・トラフィックが存在しないか又はダウンリンク・トラフィックのボリュームが少ない場合にトラフィック電力増幅ユニットを停止することができ、これによって基地局のエネルギー・リソースを節約する。更に、ベースバンド処理ユニット及びキャリア・ユニットは調節せず、基地局は元来のベースバンド処理ユニット及びキャリア・ユニットを維持することができるので、建設コストが低い。
【０１２３】
キャリア処理リソースを更に節約するため、本発明のこの実施形態は、ダウンリンク信号を処理するための装置を更に提供する。図１４に示すように、ダウンリンク信号を処理するための装置は以下を含んでもよい。
ベースバンド信号区別ユニット１１０１、パブリック・キャリア・モジュール１１０２、トラフィック・キャリア・モジュール１１０３、パブリック電力増幅ユニット１１０４、及びトラフィック電力増幅ユニット１１０５。
【０１２４】
ベースバンド信号区別ユニット１１０１は、基地局のダウンリンクのベースバンド処理ユニットに接続されており、ベースバンド処理ユニットが送信したベースバンド信号を受信し、かつ受信したベースバンド信号のタイプを区別するように構成されている。ベースバンド信号は、パブリック・ベースバンド信号及びトラフィック・ベースバンド信号に分類することができる。
【０１２５】
パブリック・キャリア・ユニット１１０２は、ベースバンド信号区別ユニット１１０１に接続されており、ベースバンド信号区別ユニット１１０１が区別によって取得したパブリック・ベースバンド信号を受信し、パブリック・ベースバンド信号にアップ・コンバージョン及びデジタル・アナログＤＡ変換を実行してパブリック・キャリア信号を取得し、かつパブリック・キャリア信号をパブリック電力増幅ユニット１１０４に送信するように更に構成されている。
【０１２６】
トラフィック・キャリア・ユニット１１０３は、ベースバンド信号区別ユニット１１０１に接続されており、ベースバンド信号区別ユニット１１０１が区別によって取得したトラフィック・ベースバンド信号を受信し、トラフィック・ベースバンド信号にアップ・コンバージョン及びデジタル・アナログＤＡ変換を実行してトラフィック・キャリア信号を取得し、かつトラフィック・キャリア信号をトラフィック電力増幅ユニット１１０５に送信するように更に構成されている。
【０１２７】
パブリック電力増幅ユニット１１０４は、パブリック・キャリア・モジュール１１０２に接続されており、パブリック・キャリア・モジュール１１０２が送信したパブリック・キャリア信号を受信し、かつパブリック・キャリア信号の電力を増幅した後にパブリック出力信号を出力するように構成されている。
【０１２８】
トラフィック電力増幅ユニット１１０５は、トラフィック・キャリア・モジュール１１０３に接続されており、トラフィック・キャリア・モジュール１１０３が送信したトラフィック・キャリア信号を受信し、かつトラフィック・キャリア信号の電力を増幅した後にトラフィック出力信号を出力するように構成されている。
【０１２９】
本発明のこの実施形態が提供するダウンリンク信号を処理するための装置は、パブリック信号の送信リンクからトラフィック信号の送信リンクを分離させることで、トラフィック信号が存在しない場合に現在のエネルギー保存技術によってトラフィック信号の送信リンクを切断又は休止させることを可能とする。パブリック信号が送信リンクを長期間に渡って用いるためにトラフィック信号の送信リンクの切断又は休止を行うことができない従来技術のアーキテクチャに比べ、本発明のこの実施形態は、基地局のエネルギー消費をいっそう効果的に低減させることができる。
【０１３０】
実施形態の前述の説明に基づいて、本発明が、必要な汎用ハードウェアと共にソフトウェアを用いて実施可能であり、もちろんハードウェアによっても実施可能であることは、当業者には明らかであろう。しかしながら多くの場合、前述の実施方法が好ましい。かかる理解に基づいて、実質的に又は部分的に従来技術に寄与する本発明の技術的解決策はソフトウェア製品の形態で実施可能である。コンピュータ・ソフトウェア製品は、例えばコンピュータのフロッピー（登録商標）・ディスク、ハード・ディスク、又は光ディスクのような読み取り可能記憶倍体に記憶され、かつ本発明の実施形態に記載した方法を実行することをコンピュータ・デバイス（パーソナル・コンピュータ、サーバ、ネットワーク・デバイス等であり得る）に命令するためのいくつかの命令を含む。
【０１３１】
前述の記載は、本発明の具体的な実施形態であるに過ぎず、本発明の保護範囲を限定することは意図していない。本発明に開示した技術的範囲内で当業者によって容易に理解されるいかなる変形又は置換も本発明の保護範囲内に属さなければならない。従って、本発明の保護範囲は特許請求の範囲の保護範囲に従わなければならない。
【図１】
0005870208.tif 000002
【図２】
0005870208.tif 000003
【図３】
0005870208.tif 000004
【図４】
0005870208.tif 000005
【図５】
0005870208.tif 000006
【図６】
0005870208.tif 000007
【図７】
0005870208.tif 000008
【図８】
0005870208.tif 000009
【図９】
0005870208.tif 000010
【図１０】
0005870208.tif 000011
【図１１】
0005870208.tif 000012
【図１２】
0005870208.tif 000013
【図１３】
0005870208.tif 000014
【図１４】
0005870208.tif 000015